(57)【要約】【課題】色調整に伴って不可避的に発生する利用者の意図しない色味の変化を防ぎ、所望の色調整を簡易かつ的確に行う。【解決手段】調整対象の色を色相、彩度及び輝度によって表される調整点として指定するとともに、該調整点にもとづく調整範囲及び調整量を指定するための操作ツールを表示する操作ツール表示手段４３と、操作ツールを介した入力操作によって、調整点、調整範囲又は調整量のうちいずれか一以上を指定する入力装置１６と、指定された調整点、調整範囲及び調整量を表示する色調整内容表示手段４４と、調整点に対応する色を、調整量を加えた色に変更するとともに、調整範囲に対応する各色を、調整点との距離に比例して減少させた調整量を加えた色に変更する色値変更手段４９と、対象画像の対応する画素の色を前記変更後の色に変更する色調整手段７２とを備える構成とする。【選択図】図１
2011061446.tif 000002
【特許請求の範囲】
【請求項１】
色相、彩度又は輝度のいずれか一以上を変更することによって対象画像の色調整を行う色調整装置であって、
調整対象の色を色相、彩度及び輝度によって表される調整点として指定するとともに、該調整点にもとづく調整範囲及び調整量を指定するための操作ツールを表示する操作ツール表示手段と、
前記操作ツールを介した入力操作によって、前記調整点、前記調整範囲又は前記調整量のうちいずれか一以上を指定する入力手段と、
指定された前記調整点、前記調整範囲及び前記調整量を表示する色調整内容表示手段と、
前記調整点に対応する色を、前記調整量を加えた色に変更するとともに、前記調整範囲に対応する各色を、前記調整点との距離に比例して減少させた前記調整量を加えた色に変更する色値変更手段と、
前記対象画像の対応する画素の色を前記変更後の色に変更する色調整手段とを備える
ことを特徴とする色調整装置。
【請求項２】
前記色調整内容表示手段は、
前記調整点と前記調整量及び前記調整範囲を、色相、彩度又は輝度のうち少なくとも２つの軸からなる空間上に点及び領域によって表示する請求項１記載の色調整装置。
【請求項３】
前記色調整内容表示手段は、
前記調整点と前記調整量及び前記調整範囲に対応する色の画像を、色相、彩度又は輝度のうち少なくとも２つの軸によって表される空間上に表示する請求項１又は２記載の色調整装置。
【請求項４】
前記操作ツール表示手段は、
前記調整点、前記調整量及び前記調整範囲を、色相、彩度及び輝度を示す指標をスライドさせることによって指定する操作ツールを表示する請求項１乃至３のいずれか一項記載の色調整装置。
【請求項５】
前記操作ツール表示手段は、
前記調整点、前記調整量及び前記調整範囲を、色相、彩度及び輝度を示すリストを選択させることによって指定する操作ツールを表示する請求項１乃至４のいずれか一項記載の色調整装置。
【請求項６】
前記操作ツール表示手段は、
前記調整点、前記調整量及び前記調整範囲を、色相、彩度及び輝度を示す数値を入力させることによって指定する操作ツールを表示する請求項１乃至５のいずれか一項記載の色調整装置。
【請求項７】
色値変更手段は、
指定された前記調整点に対応する色を、前記調整量を加えた色に変更するとともに、前記調整範囲に対応する各色を、前記調整点との距離に比例して減少させた前記調整量を加え、かつ、所定の重み付けを施した色に変更する請求項１乃至６のいずれか一項記載の色調整装置。
【請求項８】
色相、彩度又は輝度のいずれか一以上を変更することによって対象画像の色調整を行う色調整方法であって、
調整対象の色を色相、彩度及び輝度によって表される調整点として指定するとともに、該調整点にもとづく調整範囲及び調整量を指定するための操作ツールを表示するステップと、
前記操作ツールを介した入力操作によって、前記調整点、前記調整範囲又は前記調整量のうちいずれか一以上を指定するステップと、
指定された前記調整点、前記調整範囲及び前記調整量を表示するステップと、
前記調整点に対応する色を、前記調整量を加えた色に変更するとともに、前記調整範囲に対応する各色を、前記調整点との距離に比例して減少させた前記調整量を加えた色に変更するステップと、
前記対象画像の対応する画素の色を前記変更後の色に変更するステップとを有する
ことを特徴とする色調整方法。
【請求項９】
色相、彩度又は輝度のいずれか一以上を変更することによって対象画像の色調整を行う色調整装置を、
調整対象の色を色相、彩度及び輝度によって表される調整点として指定するとともに、該調整点にもとづく調整範囲及び調整量を指定するための操作ツールを表示する手段、
前記操作ツールを介した入力操作によって、前記調整点、前記調整範囲又は前記調整量のうちいずれか一以上を指定する手段、
指定された前記調整点、前記調整範囲及び前記調整量を表示する手段、
前記調整点に対応する色を、前記調整量を加えた色に変更するとともに、前記調整範囲に対応する各色を、前記調整点との距離に比例して減少させた前記調整量を加えた色に変更する手段、
前記対象画像の対応する画素の色を前記変更後の色に変更する手段として機能させる
ことを特徴とする色調整プログラム。
【発明の詳細な説明】
【技術分野】
【０００１】
本発明は、対象画像の色相、輝度又は彩度をＧＵＩにもとづく入力操作に応じて調整することが可能な色調整装置、色調整方法及び色調整プログラムに関する。
【背景技術】
【０００２】
カラープリンタに代表される画像形成装置は、入力画像の色味と出力画像の色味が一致しないことがある。
このため、所定の編集画面を表示させ、該編集画面上の操作によって色調整が可能な色調整装置が存在する（例えば、特許文献１参照）。
具体的には、対象画像の中から色調整を行う箇所をポインタ指定し、このポインタ指定された画素の色相、彩度及び明度を操作画面上に表すようにしている。
そして、その画素の色相、彩度又は明度を変更することによって対象画像の色合いを調整するようにしている。
【先行技術文献】
【特許文献】
【０００３】
【特許文献１】特開２００７−１５０９４３号公報
【発明の概要】
【発明が解決しようとする課題】
【０００４】
しかしながら、この色調整装置によると、ＲＥＤ、ＹＥＬ、ＧＲＮ、ＣＹＮ、ＢＬＵ、ＭＡＧ又はＡＬＬのうちいずれかの色相範囲を選択した上で、色相、彩度又は明度の値を変更するようにしているため、色調整の範囲を細かく指定することができない。
このため、ユーザが望まない色相部分の色味が変更され、所望の色調整できない問題が生じていた。
【０００５】
本発明は、上記の事情にかんがみなされたものであり、色調整に際し、利用者の意図しない部分の色味の変化を防ぎ、所望の色調整をピンポイントで、かつ、簡易に実施することができる色調整装置、色調整方法及び色調整プログラムの提供を目的とする。
【課題を解決するための手段】
【０００６】
上記目的を達成するため、本発明の色調整装置は、色相、彩度又は輝度のいずれか一以上を変更することによって対象画像の色調整を行う色調整装置であって、調整対象の色を色相、彩度及び輝度によって表される調整点として指定するとともに、該調整点にもとづく調整範囲及び調整量を指定するための操作ツールを表示する操作ツール表示手段と、前記操作ツールを介した入力操作によって、前記調整点、前記調整範囲又は前記調整量のうちいずれか一以上を指定する入力手段と、指定された前記調整点、前記調整範囲及び前記調整量を表示する色調整内容表示手段と、前記調整点に対応する色を、前記調整量を加えた色に変更するとともに、前記調整範囲に対応する各色を、前記調整点との距離に比例して減少させた前記調整量を加えた色に変更する色値変更手段と、前記対象画像の対応する画素の色を前記変更後の色に変更する色調整手段とを備えるようにしてある。
【０００７】
また、本発明の色調整方法は、色相、彩度又は輝度のいずれか一以上を変更することによって対象画像の色調整を行う色調整方法であって、調整対象の色を色相、彩度及び輝度によって表される調整点として指定するとともに、該調整点にもとづく調整範囲及び調整量を指定するための操作ツールを表示するステップと、前記操作ツールを介した入力操作によって、前記調整点、前記調整範囲又は前記調整量のうちいずれか一以上を指定するステップと、指定された前記調整点、前記調整範囲及び前記調整量を表示するステップと、前記調整点に対応する色を、前記調整量を加えた色に変更するとともに、前記調整範囲に対応する各色を、前記調整点との距離に比例して減少させた前記調整量を加えた色に変更するステップと、前記対象画像の対応する画素の色を前記変更後の色に変更するステップとを有する方法としてある。
【０００８】
また、本発明の色調整プログラムは、色相、彩度又は輝度のいずれか一以上を変更することによって対象画像の色調整を行う色調整装置を、調整対象の色を色相、彩度及び輝度によって表される調整点として指定するとともに、該調整点にもとづく調整範囲及び調整量を指定するための操作ツールを表示する手段、前記操作ツールを介した入力操作によって、前記調整点、前記調整範囲又は前記調整量のうちいずれか一以上を指定する手段、指定された前記調整点、前記調整範囲及び前記調整量を表示する手段、前記調整点に対応する色を、前記調整量を加えた色に変更するとともに、前記調整範囲に対応する各色を、前記調整点との距離に比例して減少させた前記調整量を加えた色に変更する手段、前記対象画像の対応する画素の色を前記変更後の色に変更する手段として機能させるための色調整プログラムとしてある。
【発明の効果】
【０００９】
本発明によれば、色調整に伴って不可避的に発生する利用者が意図しない色味の変化を防ぎ、所望する色味の調整を簡易かつ的確に行うことができる。
【図面の簡単な説明】
【００１０】
【図１】本発明の第一実施形態に係る画像形成システムの概略構成図である。
【図２】本発明の第一実施形態に係るホストコンピュータ（色調整装置）のハードウェア構成を示すブロック図である。
【図３】本発明の第一実施形態に係る画像形成装置のハードウェア構成を示すブロック図である
【図４】本発明の第一実施形態に係る色調整装置の機能的特徴を示す機能ブロック図である。
【図５】本発明の第一実施形態に係るホストコンピュータの表示装置の画面を示す図である。
【図６】本発明の第一実施形態に係るホストコンピュータの表示装置の画面に表示される色調整操作部と色調整内容表示部とを示す図である。
【図７】ＨＬＳ空間で指定された調整範囲を示す説明図である。
【図８】本発明の第一実施形態に係る色調整の概念を示す第一の概念図である。
【図９】本発明の第一実施形態に係る色調整の概念を示す第二の概念図である。
【図１０】本発明の第一実施形態に係るホストコンピュータの表示装置の画面に表示される指定色情報を示す図である。
【図１１】本発明の第一実施形態に係る色調整方法の手順示すフローチャートである。
【図１２】本発明の第二実施形態に係る色調整装置の機能的特徴を示す機能ブロック図である。
【図１３】本発明の第二実施形態に係るホストコンピュータの表示装置の画面に表示される色調整操作部と色調整内容表示部とを示す図である。
【図１４】本発明の第二実施形態に係る色調整の例を示す図である。
【発明を実施するための形態】
【００１１】
以下、本発明に係る色調整装置の実施形態について、ホストコンピュータと画像形成装置とからなる画像形成システムを例に挙げて説明を行う。
［第一実施形態］
【００１２】
図１は、本発明の第一実施形態に係るホストコンピュータと画像形成装置とからなる画像形成システムの概略構成図である。
同図に示すように、本実施形態に係る画像形成システムでは、ホストコンピュータ１０がＬＡＮ（Local  Aria  Network）２０を介して画像形成装置３０に接続された構成となっている。
この画像形成システムでは、例えば、カメラで撮影されたＲＧＢ表色系の画像データが、ホストコンピュータ１０で調整され、調整後の画像データが画像形成装置３０に送信されて印刷処理が行われる。
【００１３】
図２は、本実施形態に係るホストコンピュータ１０のハードウェア構成を示すブロック図である。
同図に示すように、本実施形態のホストコンピュータ１０においては、ＭＰＵ１１が、インタフェース１２を介してＲＯＭ１３、ＲＡＭ１４、ＨＤＤ１５、入力装置１６、表示装置１７及びＮＩＣ（Network  Interface  Card）１８に接続されている。
【００１４】
ＨＤＤ１５には、仮想記憶方式のＯＳ（Operating  System）、各種ドライバ及びアプリケーションが格納されている。
ＲＯＭ１３には、ＨＤＤ１５内のＯＳをＲＡＭ１４上にロードするためのブートストラップが格納されている。
入力装置１６は、例えば、キーボードとポインティングデバイスとを備えている。ホストコンピュータ１０は、ＮＩＣ１８を介してＬＡＮ２０に接続されている。
なお、前記アプリケーションには、本発明の色調整プログラムが含まれる。すなわち、本実施形態のホストコンピュータ１０は当該プログラムにより色調整装置として機能する。
【００１５】
図３は、本実施形態に係る画像形成装置３０のハードウェア構成を示すブロック図である。
画像形成装置３０は、ＭＰＵ３１を備え、インタフェース３２を介してＲＯＭ３３、ＲＡＭ３４、ＨＤＤ３５、操作パネル３６、スキャナ３７、プリンタ３８、ＮＩＣ３９及びＦＡＸ３Ａに接続されている。
ＲＯＭ３３には、ＯＳ、各種ドライバの他、操作パネル３６、スキャナ３７、プリンタ３８及びＦＡＸ３Ａを制御するためのアプリケーションが格納されている。
ＲＡＭ３４は、ワークエリア用の記憶装置であり、ＨＤＤ３５は、画像データ格納用の記憶装置である。
操作パネル３６は、スキャナ３７、プリンタ３８及びＦＡＸ３Ａを操作するためのものであり、複数の操作キーと表示部とを備えている。
スキャナ３７は、画像ファイルの作成用又はプリンタ３８及びＦＡＸ３Ａに対する画像入力用として用いられる。
そして、画像形成装置３０は、ＮＩＣ３９を介してＬＡＮ２０に接続される。
【００１６】
ここで、本実施形態の色調整装置について図４の機能ブロック図を参照しながら詳細に説明を行う。
図４は、本実施形態のホストコンピュータ、すなわち、色調整装置の機能的特徴を示した機能ブロック図である。
同図に示すように、本実施形態の色調整装置１０は、操作ツール表示手段４３、色調整内容表示手段４４、色値変更手段４９及び色調整手段７２を有している。
【００１７】
操作ツール表示手段４３は、調整対象の色を色相、彩度及び輝度によって表される調整点として指定するとともに、該調整点にもとづく調整範囲及び調整量を指定するための操作ツールを表示する。
具体的には、色調整を行うためのスライダやドロップダウンリスト等の各種操作ツールを画面上に表示し、ユーザは、入力装置（入力手段）１６を介してこの操作ツールを操作して、色調整対象の基準となる調整色、調整範囲及び調整量を指定する。
例えば、色相、輝度及び明度を示すスライダのノブの移動距離に応じた値の調整色、調整範囲及び調整量が指定される。
【００１８】
色調整内容表示手段４４は、色調整に伴いユーザが指定した調整点、調整範囲及び調整量を画面上に表示する。本実施形態においては、色相、輝度又は彩度のうち２軸を用いた直交平面上に調整点及び調整量を点として表示させるとともに、該調整点を中心とした調整範囲を閉領域として画面上に表示するようにしている。
また、指定された調整点、調整範囲及び調整量をカラーチャートや数値によって表示することもできる（図６参照）。
【００１９】
色値変更手段４９は、指定された調整点に対応する色を、調整量を加えた色に変更するとともに、調整範囲に対応する各色を、調整点との距離に比例して減少させた調整量を加えた色に変更する。
ここで、調整範囲における変更後の色値の算出式を以下に示す。
具体的には、作用点Ｐ２の調整値Ｘ、調整前の色相Ｈ、調整後の色相Ｈ’、操作点Ｐ１及びＰ３に対応する隣接色相Ｈ１及びＨ２（隣接色相が既に調整されていれば調整した結果、調整されていなければ調整前の元値）、作用点Ｐ２と操作点Ｐ１もしくはＰ３の距離をＲ、調整前の中心の色相Ｈ_orgとすると、Ｈ１と中心色相の間の点及びＨ２と中心色相の間の点はそれぞれ次式（１）及び（２）を用いて求めることができる。
Ｈ’＝（Ｈ_org＋Ｘ−Ｈ１）／Ｒ＊（Ｈ−Ｈ_org）＋Ｈ_org  ・・・（１）
Ｈ’＝（Ｈ２−Ｈ_org−Ｘ）／Ｒ＊（Ｈ−Ｈ_org）＋Ｈ_org  ・・・（２）
また、輝度又は彩度に関する調整範囲における変更後の値も上記と同様の式を用いて求めることができる。
【００２０】
色調整手段７２は、色値変更手段４９により変更された後の色を対象画像に適用する。具体的には、対象画像の対応する画素の色値をその変更後の色値に変更する処理を行うものであり、以下の手順で処理が行われる。
まず、調整前のＲＧＢ画像データ４１Ｄは、ＲＧＢ／ＨＬＳ変換部７０によってＨＬＳ画像データ４１Ｅに変換され、さらに、コピー部７１によりコピーされて対象のＨＬＳ画像データ４１Ｆが生成される。
ここで、色調整手段７２は、上記式（１）（２）等に対応する色値を代入して調整後の色値を求めＨＬＳ／ＨＬＳ変換を行う。
そして、ＨＬＳ／ＲＧＢ変換部７３は、このＨＬＳ／ＨＬＳ変換が完了すると、変換後のＨＬＳ画像データ４１Ｆの内容をＲＧＢ表色系のＲＧＢ画像データ４２Ｄに変換する。
これにより、ＲＧＢ画像データ４２Ｄの内容が色調整後の画像に更新されて表示される。
【００２１】
ここで、本実施形態の操作ツール表示手段４３及び色調整内容表示手段４４によって提供されるＧＵＩ（Graphical  User  Interface）について説明を行う。
図５は、本実施形態に係るホストコンピュータの表示装置１７に表示される画面４０の各表示部を示す。
同図において、ユーザは、色調整前画像４１に表示された画像を見て、どの部分の画素をどのように色調整すべきか考え、色調整操作部４３を入力装置１６で操作してその調整内容を色調整内容表示部４４で視認するとともに、この内容で調整された色調整後画像４２を視認することができる。
【００２２】
次に、本実施形態の色調整内容表示部４３及び色調整操作部４４について図６を参照しながら説明する。
図６は、図５のうちの色調整内容表示部４４と色調整操作部４３についての具体的な表示例を示したものである。
【００２３】
（色調整操作部４３Ａ）
まず、色調整操作部４３Ａのうち調整点指定部４３１について図６（Ｂ）を参照しながら説明を行う。
ユーザは、入力装置１６のポインティングデバイスの操作によって、調整点指定部４３１に示される色相、輝度又は彩度のスライダのノブを移動することができる。
具体的には、各スライダのノブ８０Ｎ、８１Ｎ、８２Ｎをマウスでドラッグすることにより、色調整の中心となる調整点を色相、輝度又は彩度にもとづいて指定する。
【００２４】
各スライダの右側にはそれぞれアップ／ダウンボタン付のプルダウンのボックス８０Ｄ、８１Ｄ、８２Ｄが配置されており、それぞれのアップボタン又はダウンボタンを操作することにより、調整点の色相、輝度又は彩度を調整することもできる。
プルダウンのボックス８０Ｄ、８１Ｄ及び８２Ｄは、これらノブ又はアップ／ダウンボタンによる調整点を色値によって数値表示するため及び調整点の色値（数値）を直接入力するために用いられる。
なお、同図は、（H,L,S）＝（95,0.5,0.7）の調整点が指定された例を示す。
【００２５】
次に、色調整操作部４３Ａのうち調整量指定部４３２について図６（Ｂ）を参照しながら説明を行う。
ユーザは、入力装置１６のポインティングデバイスの操作によって、調整量指定部４３２に示される色相、輝度又は彩度のスライダのノブを移動することができる。
具体的には、各スライダのノブ８３Ｎ、８４Ｎ、８５Ｎをマウスでドラッグすることにより、調整点からの距離にもとづく調整量を色相、輝度又は彩度によって指定することができる。
【００２６】
各スライダの右側にはそれぞれアップ／ダウンボタン付のプルダウンのボックス８３Ｄ、８４Ｄ、８５Ｄが配置されており、それぞれのアップボタン又はダウンボタンを操作することにより、調整点を示す色相、輝度又は彩度を調整することができる。
プルダウンのボックス８３Ｄ、８４Ｄ及び８５Ｄは、これらノブ又はアップ／ダウンボタンによる調整量を色値によって数値表示するため及び調整量の色値を直接入力するために用いられる。
なお、同図は、（H,L,S）＝（10,0,0.1）の調整量が指定された例を示す。
【００２７】
次に、色調整操作部４３Ａのうち調整範囲指定部４３３について図６（Ｂ）を参照しながら説明を行う。
ユーザは、入力装置１６のポインティングデバイスの操作によって、調整範囲指定部４３３に示される色相、輝度又は彩度のスライダのノブを移動することができる。
各スライダのノブは２つずつ配置されており、ユーザは、マウス操作等によって一方のノブを移動させて下限値を指定し、他方のノブを移動させて上限値を指定することにより調整範囲を設定することができる。
【００２８】
各スライダの右側にはそれぞれアップ／ダウンボタン付のプルダウンのボックス８６Ｄ、８７Ｄ、８８Ｄが配置されており、これらも上記ノブに対応して２つずつ配置されてある。
すなわち、それぞれのアップボタン又はダウンボタンを操作することにより、調整範囲の下限値及び上限値を示す色相、輝度又は彩度を指定することができる。
プルダウンのボックス８６Ｄ、８７Ｄ及び８８Ｄは、これらノブ又はアップ／ダウンボタンによる調整範囲を色値によって数値表示するため及び調整範囲の色値（数値）を直接入力するために用いられる。
同図は、調整点（H,L,S）＝（95,0.5,0.7）を中心に、色相範囲：−２０〜＋１０°、輝度範囲：−０．２〜＋０．２、彩度範囲：−０．３〜＋０．２が指定され、（75,0.3,0.4）≦（H,L,S）≦（125,0.7,0.9）が調整範囲として指定された例を示す。
【００２９】
このように、本実施形態に係る色調整装置１０によれば、調整点指定部４３１、調整量指定部４３２及び調整範囲指定部４３３のスライダのノブを移動しつつ、これらスライダに近接して配置されたプルダウンのボックスにより調整点、調整範囲又は調整量を確認しながら円滑に設定することができる。
このため、本実施形態の色調整装置１０によれば、色空間の局所部分について的確に色調整操作を行うことができる。
したがって、図７に示すように、ある点の色（調整色）を所望の色に変更するとともに、その点の近接する周辺についても意図しない色に変化されないように、的確に色調整を行うことができる。
【００３０】
また、色調整操作部４３Ａにおいては、「重み付け」のチェックボックスを配置し、色調整に重み付けを施すか否かをユーザが選択することも可能である（図６（Ｂ）上部参照）。
例えば、図８（ａ）は、色調整の範囲をＨＬＳ三次元色空間上に表したものであり、同図（ｂ）は、これを色相（Ｈ）と彩度（Ｓ）からなる二次元空間に表したものである。
同図に示すように、本来、色調整の範囲は、調整点（色）を中心とした球状又は円状の調整範囲によって表すことができるが、本実施形態の色調整装置１０においては、さらにその調整範囲の中で調整量を線形に反映させるか又は正規分布にしたがって反映させるかを選択できるようにしている。
【００３１】
すなわち、ある調整点について、輝度を＋１加算し、調整範囲を色相：±１０°、彩度±０．１とした場合、調整点に対する輝度は＋１調整されるが、調整範囲内の周囲グリッド上の色は調整点の調整前後の距離に応じて輝度が変化するようにする。
この変化の特性を表したものが同図（ｃ）であり、調整範囲において調整点を中心とした線形の色調整を行うようにしている。
なお、「重み付け」チェックボックスを選択しない場合にはこのような色調整の特性を得ることができる。
一方、「重み付け」チェックボックスが選択された場合には、この特性にGaussian分布を適用し、同図（ｄ）に示すように、調整範囲において正規分布を展開するようにする。
【００３２】
また、図９は、ある調整点について、輝度を＋１０加算し、調整範囲を色相：−１０°〜＋２０°とした場合の色調整の範囲を表示した例である。つまり、この場合、調整点を中心とした色調整の範囲が不均一であり、＋方向の影響範囲が大きなものとなっている。
この場合、同図に示すように、調整点に対する輝度は＋１０調整されるが、各分布は＋方向がよりなだらかな特性を描く形となる。
すなわち、本実施形態の色調整装置１０によれば、調整量や調整範囲の大小又は均一・不均一に拘わらず、安定してなだらかな色調整を実現し、さらに、ユーザはその色調整に伴う色変化の特性を選択できるようにしている。
【００３３】
（色調整内容表示部  ４４Ａ）
次に、色調整内容表示部４４Ａについて図６（Ａ）を参照しながら説明する。
色調整内容表示部４４Ａの（ａ）部は、色調整内容を二次元の直交座標系を用いて表示するときの軸指定と表示範囲を指定するものである。
具体的には、ユーザは、入力装置１６のポインティングデバイス等で、プルダウンのボックス９０ａ、９０ｂ、９０ｃのアップボタン又はダウンボタンを操作することにより、表示する座標の軸指定や表示範囲の指定を行う。
例えば、縦軸に彩度、横軸に色相を選択し、その表示範囲を指定することにより、同図の（ｂ）や（ｃ）に示すように指定範囲内における二次元の直交座標を表すことができる。
また、「別項目」として輝度を選択しその表示範囲を指定することにより、同図（ｂ）の右部に示すように、調整点の色のパッチ画像を中心とした輝度ごとのカラーチャートを表すことができる。
なお、同図は、彩度（縦軸）の表示範囲を０．３、色相（横軸）の表示範囲を２０、輝度（別項目）の表示範囲を０．３と設定した例を示す。
【００３４】
色調整内容表示部４４Ａの（ｂ）部は、色調整に係るカラーチャートを表示する。
このカラーチャートは、前述した軸指定及び表示範囲に対応して表示される。
具体的には、「軸指定」した二次元の直交座標上で、調整点を含む「表示範囲」のカラーチャートを表示することができる。
例えば、同図の例においては、調整点（H,L,S）＝（95,0.5,0.7）を中心として、彩度：±０．３、色相：±２０のカラーチャートを所定の色差にもとづいて表示することができる。
また、上述したように、「別項目」として選ばれた座標系については、同図に示すように個別にチャート表示することができる。
さらに、このチャートには調整点、調整量又は調整範囲に対応する色のパッチ画像を識別できるように図示することもできる。例えば、同図に示すように、調整点に相当する色のパッチ画像に太枠を付して表示することができる。
【００３５】
色調整内容表示部４４Ａの（ｃ）部は、色調整の内容を点及び領域で表示する。
具体的には、軸指定された座標空間において、調整点及び調整量を点として表し、調整範囲を閉領域で表すことができる。
なお、同図は、調整点を黒点、調整量を白点、調整範囲を網掛けの閉領域でそれぞれ表したものである。
したがって、ユーザは、色調整の程度をこれらの画面表示を見ながら効果的に色調整を行うことができる。
【００３６】
色調整内容表示部４４Ａの（ｄ）部は、調整点、調整量及び調整範囲を数値で表示する。
例えば、同図に示すように、調整範囲を色相、輝度及び彩度ごとに分けて表示することもできる。
【００３７】
なお、上述した（ａ）〜（ｄ）の各表示部においては、ユーザが色調整の内容を視認できるだけでなく、所定操作に応じて色調整データの直接的な設定・変更が可能である。
例えば、（ｂ）部や（ｃ）部においては、マウスのスクロール操作等によって表示範囲を変えながら、所望のパッチ画像や座標を選択し、これによって対応する調整点及び調整量を指定することも可能である。
また、マウスのドラッグ操作によって閉領域を拡大・縮小又は移動することによって所望の調整範囲を指定することも可能である。
さらに、（ｄ）部においては、直接数値を入力することによって、調整点、調整量及び調整範囲を指定することが可能である。
【００３８】
このように、本実施形態の色調整装置１０によれば、色調整の設定内容を確認しながら円滑かつ確実に色調整を実行することができる。
また、色調整の設定内容は、色調整内容表示部４４にカラーチャート、図形又は数値によって表示される。
このため、ユーザは、直感的な操作によって簡易に色調整を行うことができる。
【００３９】
なお、図５の右上部に示すように、「調整内容」の種類を選択できるプルダウンメニューを表示し、ユーザによるポインティングデバイス操作によって、予め、「ポイント調整」を行うか、「ライン調整」を行うか、を選択させることができる。
本実施形態においては、「ポイント調整」が選択されているものとする。
一方、「ライン調整」は、色調整の設定内容を主に線によって表示するものであり、これについては第二実施形態において詳細に説明する。
【００４０】
また、図５の右下部に示すように、「リセット」キー４７及び「戻る」キー４８を配置することもできる。
ユーザは、「リセット」キー４７をポインティングデバイス等でクリックすることにより、色調整操作部４３の各スライダやテキストボックスの内容を初期化することができる。
また、ユーザは、「戻る」キー４８をポインティングデバイス等でクリックすることにより、既に行った操作を直前の状態に戻すことができる。
【００４１】
さらに、同図に示すように、指定色情報４５を表示することもできる。
具体的には、図１０に示すように、調整前と調整後の色の情報を数値によって表示することができる。
【００４２】
次に、本実施形態の色調整方法について図面を参照しながら説明を行う。
図１１は、本実施形態に係る色調整方法の手順を示したフローチャートである。
まず、ポインティングデバイスのドラッグ操作に応じ、調整点指定部４３１のノブ８０Ｎ、８１Ｎ、８２Ｎを移動させ、調整量指定部４３２のノブ８３Ｎ、８４Ｎ、８５Ｎを移動させ、調整範囲指定部４３３のノブ８６Ｎ、８７Ｎ、８８Ｎを移動させる（Ｓ１）。
【００４３】
続いて、ドラッグの終了、すなわち、ポインティングデバイスのクリックボタンが解放される（ドロップされる）と（Ｓ２：ＹＥＳ）、ステップＳ３へ進み、そうでなければ（Ｓ２：ＮＯ）、ステップＳ１へ戻る。
ステップＳ１及びＳ２の処理が終わると、指定された調整点、調整量及び調整範囲が、色調整内容表示部４４に表示される（Ｓ３）。
【００４４】
色調整手段７２は、以下のステップＳ４〜Ｓ８により、ＨＬＳ画像データ４１Ｆ内の画素値をスキャンしながらＨＬＳ値を変化させる処理（色調整）を行う。
具体的には、まず、ＨＬＳ画像データ４１Ｆ内の最初の画素を読み出す（Ｓ４）。
次に、読み出した画素値が指定された調整範囲内の色値を有するものか否かを判断する（Ｓ５）。
この結果、調整範囲内の色値を有するものである場合（Ｓ５：ＹＥＳ）、ステップＳ６に進み、そうでなければ（Ｓ５：ＮＯ）、ステップＳ９に進む。
【００４５】
ステップＳ６では、ＨＬＳ／ＨＬＳ変換式を用いてＨＬＳ値を変換させる（Ｓ６）。
例えば、前述の式（１）（２）等を用いてＨＬＳ／ＨＬＳ変換を行う。
次いで、変換後の値でＨＬＳ画像データ４１Ｆ内の対応する画素値を更新する（Ｓ７）。
続いて、ＨＬＳ画像データ４１Ｆから次の画素値を読み出す（Ｓ８）。
【００４６】
ここで、読み出し可能な次の画素値が存在する場合（Ｓ９：ＹＥＳ）、ステップＳ５へ戻り、そうでなければ（Ｓ９：ＮＯ）、ステップＳ１０へ進む。
そして、ＨＬＳ／ＲＧＢ変換部７３は、ＨＬＳ画像データ４１Ｆの各ＨＬＳ値をＲＧＢ値に変換してＲＧＢ画像データ４２Ｄを生成する（Ｓ１０）。
これにより、色調整後の画像が生成され、図５において色調整後画像４２として表示される。
【００４７】
以上、本実施形態の色調整装置１０によれば、色相、輝度及び彩度にもとづく調整点、調整量及び調整範囲の指定によって対象画像の色調整を行うようにしている。
このため、局所的な色調整を的確に実施することができる。
また、調整点、調整量及び調整範囲の指定については、スライダ等のＧＵＩを介して直感的に実施しつつ、その数値を視認できるようにしている。
さらに、調整の具体的内容を、点、領域、色、数値によって視認できるようにしているため、より円滑にかつ確実に色調整を行うことができる。
【００４８】
［第二実施形態］
次に、本発明の第二実施形態に係る色調整装置について図１２を参照しながら説明する。
なお、本実施形態に係る色調整は、前述したように、図５の右上部に示す「調整内容」のプルダウンにおいて「ライン調整」が選択された場合に実行される色調整処理を実行するものである。すなわち、本実施形態に係る色調整は、色調整前後の色相の変化やユーザが指定した色調整の内容を線の変化で確認できるようにしたものである。
【００４９】
図１２は、本実施形態に係る色調整装置の機能的特徴を示した機能ブロック図である。
同図に示すように、本実施形態に係る色調整装置１０は、操作ツール表示手段４３、色調整内容表示手段４４、色値変更手段４９及び色調整手段７２を有する。この点においては、前述の第一実施形態と同様である。
しかしながら、本実施形態の色調整装置１０は、操作ツール表示手段４３によって提供される操作ツールが調整範囲指定部４３４と調整量指定部４３５である点において前述の第一実施形態と異なる。
したがって、以下、第一実施形態と異なる部分について主に説明することとし、同様の部分についてはその詳細な説明を省略する。
【００５０】
本実施形態に係る操作ツール表示手段４３は、色調整を行うための操作ツールとして、調整範囲指定部４３４と調整量指定部４３５とを表示して提供する。
調整範囲指定部４３４は、図１３（Ｂ）に示すように、調整を行う作用点、開始点及び終了点を色相、輝度又は彩度によって指定するためのものである。
具体的には、プルダウンのボックス（５１Ｄ〜５３Ｄ）に示される色値を確認しながら、スライダのノブ（５１Ｎ〜５３Ｎ）を移動させることによって、調整点（色）に対応する作用点、調整範囲に対応する開始点及び終了点を指定する。
なお、同図は、色相９５°（Ｇ  near）を作用点、色相６０°（イエロー）を開始点、色相１２０°（グリーン）を終了点として選択した例を示す。
【００５１】
調整量指定部４３５は、図１３（Ｂ）に示すように、調整量として、色相、輝度、輝度コントラスト、彩度及び彩度コントラストを指定するためのものである。
具体的には、プルダウンのボックス（５４Ｄ〜５８Ｄ）に示される色値を確認しながら、スライダのノブ（５４Ｎ〜５８Ｎ）を移動させることによって、各調整量を指定する。
なお、同図は、調整量として色相１５°が指定された例を示す。
【００５２】
色調整内容表示手段４４Ｂは、図１３（Ａ）に示すように、ユーザが指定した調整範囲及び調整量を画面上に表示する。
本実施形態においては、調整前後の関係を示す調整量グラフを表示させ、各グラフには調整の程度を線によって示すようにしている。
【００５３】
色調整内容表示部４４Ｂの（ａ）部は、調整前後の色相の変化を示す色相調整量グラフ６０を表示するものである。
色相調整量グラフ６０は、縦軸に調整後色相軸、横軸に調整前色相軸を示し、この直交座標に調整前後の色相の関係を示す色相調整線Ｌ１を示す。
色調整内容表示部４４Ｂの（ｂ）部は、色相調整前のカラーバー６１及び色相調整後のカラーバー６２を表示する。
【００５４】
色調整内容表示部４４Ｂの（ｃ）部は、輝度調整量グラフ６３、輝度コントラストグラフ６４、彩度調整量グラフ６５及び彩度コントラストグラフ６６を表示する。
これら各グラフの横軸はいずれも調整前色相軸６７であり、縦軸は、それぞれ色相、輝度、輝度コントラスト、彩度及び彩度コントラストの調整量を示す。
また、輝度調整量グラフ６３、輝度コントラストグラフ６４、彩度調整量グラフ６５及び彩度コントラストグラフ６６上には、それぞれ輝度調整線Ｌ２、輝度コントラスト調整線Ｌ３、彩度調整線Ｌ４及び彩度コントラスト調整線Ｌ５が表示される。
すなわち、調整量指定部４３５の各ノブを移動させることによって、これら調整線Ｌ２〜Ｌ５が変化する。
なお、色調整内容表示部４４Ｂの（ａ）〜（ｃ）に示すメッシュ部分Ｍは、ワンポイント色調整（第一実施形態参照）が既に実施された範囲を示すものである。
【００５５】
色値変更手段４９は、操作ツールを介して指定された作用点の色値を、調整量を加えた色値に変更するとともに、調整範囲に対応する各色値を、調整色との距離に比例して減少させた調整量を加えた色値に変更する。
以下、調整範囲における変更後の色値の算出方法について説明する。
【００５６】
図１４（ａ）に示す色相調整量グラフ６０において、作用点Ｐ２の調整値Ｘ、調整前の色相Ｈ、調整後の色相Ｈ’、操作点Ｐ１及びＰ３に対応する隣接色相Ｈ１及びＨ２（隣接色相が既に調整されていれば調整した結果、調整されていなければ調整前の元値）、作用点Ｐ２と操作点Ｐ１もしくはＰ３の距離をＲ、調整前の中心の色相Ｈ_orgとすると、Ｈ１と中心色相の間の点及びＨ２と中心色相の間の点はそれぞれ次式（３）及び（４）を用いて求めることができる。
Ｈ’＝（Ｈ_org＋Ｘ−Ｈ１）／Ｒ＊（Ｈ−Ｈ_org）＋Ｈ_org  ・・・（３）
Ｈ’＝（Ｈ２−Ｈ_org−Ｘ）／Ｒ＊（Ｈ−Ｈ_org）＋Ｈ_org  ・・・（４）
【００５７】
彩度については、作用点Ｐ２の調整量をＸ２、調整前及び調整後の彩度をそれぞれＳおよびＳａとし、作用点Ｐ２と操作点Ｐ１もしくはＰ３の距離をＲとすると操作点Ｐ１と操作点Ｐ２の間の調整量Ｘは式（５）で表され、作用点Ｐ２と操作点Ｐ３との間の調整量Ｘは式（６）で求められ、各調整量に対する彩度Ｓａは式（７）で求められる。
Ｘ＝Ｘ２＊（｜Ｈ_org−Ｈ１｜）／Ｒ  ・・・（５）
Ｘ＝Ｘ２＊（｜Ｈ_org−Ｈ２｜）／Ｒ  ・・・（６）
2011061446.tif 000003
【００５８】
輝度については、作用点の調整量をＹ２、調整前及び調整後の輝度をそれぞれＬおよびＬａとし、作用点Ｐ２と操作点Ｐ１もしくはＰ３の距離をＲとすると操作点Ｐ１と操作点Ｐ２の間の調整量Ｙは式（８）で表され、操作点Ｐ２と操作点Ｐ３との間の調整量Ｙは式（９）で求められ、各調整量に対する輝度Ｌａは式（１０）で求められる。
Ｙ＝Ｙ２＊（｜Ｈ_org−Ｈ１｜）／Ｒ  ・・・（８）
Ｙ＝Ｙ２＊（｜Ｈ_org−Ｈ２｜）／Ｒ  ・・・（９）
2011061446.tif 000004
【００５９】
色調整手段７２は、色値変更手段４９により変更された色値を対象画像に適用する。具体的には、対象画像の対応する画素の色値をその変更後の色値に変更する処理を行うものであり、以下の手順で処理が行われる。
まず、調整前のＲＧＢ画像データ４１Ｄは、ＲＧＢ／ＨＬＳ変換部７０によってＨＬＳ画像データ４１Ｅに変換され、さらに、コピー部７１によりコピーされて対象のＨＬＳ画像データ４１Ｆが生成される。
ここで、色調整手段７２は、上記式（３）〜（１０）に対応する色値を代入して調整後の色値を求めＨＬＳ／ＨＬＳ変換を行う。
そして、ＨＬＳ／ＲＧＢ変換部７３は、このＨＬＳ／ＨＬＳ変換が完了すると、変換後のＨＬＳ画像データ４１Ｆの内容をＲＧＢ表色系のＲＧＢ画像データ４２Ｄに変換する。
これにより、ＲＧＢ画像データ４２Ｄの内容が色調整後の画像に更新されて表示される。
【００６０】
この結果、色調整前と色調整後の関係を示す特性は、図１４（ａ）の実線に示される。
また、第一実施形態と同様、色調整操作部４３Ｂにおいて「重み付け」チェックボックスを選択すると、図１４（ｂ）のように前記特性が正規分布になるように色調整が行われる。
【００６１】
本実施形態の色調整装置１０によれば、第一実施形態と同様、色相、輝度及び彩度にもとづく調整量及び調整範囲の指定によって対象画像の色調整を行うようにしている。
特に、本実施形態では、調整範囲として、色調整の対象基準を示す作用点、色調整の範囲を示す開始点及び終了点を指定するようにしているため、色調整の範囲を局所に限定することができる。
また、本実施形態の色調整装置１０は、調整の具体的内容を、線によって表示し、直感的に視認できるようにしているため、円滑かつ確実に色調整を行うことができる。
さらに、本実施形態の色調整装置１０は、輝度コントラスト、彩度コントラストの調整値をグラフ表示することもでき、色調整のより細かな把握と設定が可能である。
【００６２】
以上、本発明の色調整装置１０について、好ましい実施形態を示して説明したが、本発明にかかる画像形成システムは、上述した実施形態に限定されるものではなく、本発明の範囲で種々の変更実施が可能であることは言うまでもない。
例えば、上述した実施形態の色調整装置１０はホストコンピュータによって構成されるが、表示機能や出力機能を有するカラープリンタやカラーディスプレイ等といった他の出力装置によっても本発明を実現することができる。
【産業上の利用可能性】
【００６３】
本発明は、カラーディスプレイ、カラーディスプレイを備えたコンピュータ、カラープリンタ等の画像形成装置において好適に利用することができる。
【符号の説明】
【００６４】
１０  ホストコンピュータ（色調整装置）
１６  入力装置
１７  表示装置
４３  操作ツール表示手段（色調整操作部）
４３１  調整点指定部
４３２、４３５  調整量指定部
４３３、４３４  調整範囲指定部
４４  色調整内容表示手段
４９  色値変更手段
７２  色調整手段
【図１】
2011061446.tif 000005
【図２】
2011061446.tif 000006
【図３】
2011061446.tif 000007
【図４】
2011061446.tif 000008
【図５】
2011061446.tif 000009
【図７】
2011061446.tif 000010
【図８】
2011061446.tif 000011
【図９】
2011061446.tif 000012
【図１０】
2011061446.tif 000013
【図１１】
2011061446.tif 000014
【図１２】
2011061446.tif 000015
【図１４】
2011061446.tif 000016
【図６】
2011061446.tif 000017
【図１３】
2011061446.tif 000018